(57)【要約】【課題】ＰＣａ柱にて構成される上階側の建方を、下階側のＳＲＣ柱のＲＣ部分の構築を待たずに簡単且つ精度良く行うことができ、工期の短縮を効果的に実現することができる建物の建築方法を提供する。【解決手段】下階側が鉄骨鉄筋コンクリート造のＳＲＣ柱１０にて構成され、上階側がプレキャストコンクリート製のＰＣａ柱２０にて構成される建物の建築方法であって、下階側のＳＲＣ柱１０と上階側のＰＣａ柱２０とが切り替わる仕口部分３０が、下階側のＳＲＣ柱１０の柱鉄骨１１の上端に接合される柱鉄骨継手部３３を有したプレキャストコンクリート製のＰＣａ仕口部材３１にて構成される。【選択図】図５
2020186622.tif 000002
【特許請求の範囲】
【請求項１】
下階側が鉄骨鉄筋コンクリート造のＳＲＣ柱にて構成され、上階側がプレキャストコンクリート製のＰＣａ柱にて構成される建物の建築方法であって、
下階側の前記ＳＲＣ柱と上階側の前記ＰＣａ柱とが切り替わる仕口部分が、下階側の前記ＳＲＣ柱の柱鉄骨の上端に接合される柱鉄骨継手部を有したプレキャストコンクリート製のＰＣａ仕口部材にて構成される建物の建築方法。
【請求項２】
下階側の前記ＳＲＣ柱の前記柱鉄骨及び前記ＰＣａ仕口部材の建方を行った後、下階側の前記ＳＲＣ柱のＲＣ部分の構築と並行して上階側の前記ＰＣａ柱の建方を行う請求項１記載の建物の建築方法。
【請求項３】
下階側の前記ＳＲＣ柱の前記柱鉄骨の建方を行う前に、前記柱鉄骨の上端に前記ＰＣａ仕口部材の柱鉄骨継手部を接合しておく請求項１又は２記載の建物の建築方法。
【請求項４】
前記ＰＣａ仕口部材に備えられた鉄筋と、下階側の前記ＳＲＣ柱の前記ＲＣ部分を構成する鉄筋とを機械式継手にて接続する請求項１〜３のいずれか１項に記載の建物の建築方法。
【請求項５】
前記ＰＣａ仕口部材は、下階側の梁鉄骨が接合される梁鉄骨継手部を有する請求項１〜４のいずれか１項に記載の建物の建築方法。
【発明の詳細な説明】
【技術分野】
【０００１】
本発明は、下階側が鉄骨鉄筋コンクリート造のＳＲＣ柱にて構成され、上階側がプレキャストコンクリート製のＰＣａ柱にて構成される建物の建築方法に関する。
【背景技術】
【０００２】
特許文献１には、この種の建築方法において、下階側のＳＲＣ柱の柱鉄骨の建方を行った後、その柱鉄骨の上端にレベル調整用ライナープレートを介在させて上階側のＰＣａ柱や梁等の建方を行い、その後、下階側のＳＲＣ柱の柱鉄骨の周囲にコンクリートを打設して下階側のＲＣ（鉄筋コンクリート）部分の構築を行う技術が開示されている。
【先行技術文献】
【特許文献】
【０００３】
【特許文献１】特許第５００１８９７号公報
【発明の概要】
【発明が解決しようとする課題】
【０００４】
特許文献１に記載の建築方法では、下階側のＳＲＣ柱のＲＣ部分の構築を待たずに上階側の建方を行って工期の短縮を図れるものの、下階側のＳＲＣ柱の柱鉄骨の上端と上階側のＰＣａ柱との接合構造が、レベル調整用ライナープレートにてレベルを調整しただけの簡易且つ不安定な仮設の接合構造であるので、上階側の建方の作業性や建方の精度を高めるのが難しく、この点に改善の余地があった。
【０００５】
この実情に鑑み、本発明の主たる課題は、ＰＣａ柱にて構成される上階側の建方を、下階側のＳＲＣ柱のＲＣ部分の構築を待たずに簡単且つ精度良く行うことができ、工期の短縮を効果的に実現することができる建物の建築方法を提供する点にある。
【課題を解決するための手段】
【０００６】
本発明の第１特徴構成は、下階側が鉄骨鉄筋コンクリート造のＳＲＣ柱にて構成され、上階側がプレキャストコンクリート製のＰＣａ柱にて構成される建物の建築方法であって、
下階側の前記ＳＲＣ柱と上階側の前記ＰＣａ柱とが切り替わる仕口部分が、下階側の前記ＳＲＣ柱の柱鉄骨の上端に接合される柱鉄骨継手部を有したプレキャストコンクリート製のＰＣａ仕口部材にて構成される点にある。
【０００７】
本構成によれば、下階側のＳＲＣ柱の柱鉄骨の上端にＰＣａ仕口部材の柱鉄骨継手部を接合し、その下階側のＳＲＣ柱の柱鉄骨の上端に取り付けられたＰＣａ仕口部材に対して、製作精度の高いＰＣａ部材どうしによる高い精度にて上階側のＰＣａ柱を本接合することができ、それ以降の上階側の建方の作業性や建方の精度を高めることができる。
よって、ＰＣａ柱にて構成される上階側の建方を、下階側のＳＲＣ柱のＲＣ部分の構築を待たずに簡単且つ精度良く行うことができ、工期の短縮を効果的に実現することができる。
【０００８】
本発明の第２特徴構成は、下階側の前記ＳＲＣ柱の前記柱鉄骨及び前記ＰＣａ仕口部材の建方を行った後、下階側の前記ＳＲＣ柱のＲＣ部分の構築と並行して上階側の前記ＰＣａ柱の建方を行う点にある。
【０００９】
本構成によれば、下階側のＳＲＣ柱のＲＣ部分の構築と上階側のＰＣａ柱の建方とを並行して行うことで、更なる工期の短縮を図ることができる。
【００１０】
本発明の第３特徴構成は、下階側の前記ＳＲＣ柱の前記柱鉄骨の建方を行う前に、前記柱鉄骨の上端に前記ＰＣａ仕口部材の柱鉄骨継手部を接合しておく点にある。
【００１１】
本構成によれば、本構成によれば、地組等により下階側のＳＲＣ柱の柱鉄骨の建方を行う前に柱鉄骨の上端に柱鉄骨継手部を接合してＰＣａ仕口部材を取り付けておくので、下階側のＳＲＣ柱の柱鉄骨の建方を行った後に迅速に上階側のＰＣａ柱の建方を行うことができ、更なる工期の短縮を図ることができる。また、ＳＲＣ柱の柱鉄骨に対するＰＣａ仕口部材の取付作業を低所にて安全且つ迅速に行うことができる。
【００１２】
本発明の第４特徴構成は、前記ＰＣａ仕口部材に備えられた鉄筋と、下階側の前記ＳＲＣ柱の前記ＲＣ部分を構成する鉄筋とを機械式継手にて接続する点にある。
【００１３】
本構成によれば、ＰＣａ仕口部材に備えられた鉄筋と、下階側のＳＲＣ柱のＲＣ部分の鉄筋とを短時間で確実に接続することができる。しかも、ＰＣａ仕口部材に備えられた鉄筋のＰＣａ部分からの突出量を極力少なくすることができるので、ＰＣａ仕口部材の取り回し性を向上させることができ、ＰＣａ仕口部材の取付作業を容易に行うことができる。
【００１４】
本発明の第４特徴構成は、前記ＰＣａ仕口部材は、下階側の梁鉄骨が接合される梁鉄骨継手部を有する点にある。
【００１５】
本構成によれば、下階側のＳＲＣ柱の柱鉄骨及びＰＣａ仕口部材の建方を行った後、ＰＣａ仕口部材の梁鉄骨継手部に接合する形態で、下階側の梁鉄骨の建方を簡単且つ迅速に行うことができ、更なる工期の短縮を図ることができる。
【図面の簡単な説明】
【００１６】
【図１】建物の縦断面図
【図２】建物の要部の縦断面図
【図３】図２のＩＩＩ−ＩＩＩ線断面図
【図４】建物の建築方法を模式的に示す図
【図５】建物の建築方法を模式的に示す図
【発明を実施するための形態】
【００１７】
本発明の建物の建築方法の実施形態を図面に基づいて説明する。
図１は、本建築方法にて建築される建物の外周側且つ下方側の部分を示している。この建物は、下階側（図中の３階以下）の柱が鉄骨鉄筋コンクリート造のＳＲＣ柱１０にて構成され、上階側（図中の４階以上）の柱がプレキャストコンクリート製の鉄筋コンクリート造のＰＣａ柱２０にて構成される。
【００１８】
図示例では、例えば、建物内外方向（図中の左右方向）に沿わせてＳＲＣ柱１０やＰＣａ柱２０に接合される梁が、梁鉄骨（Ｓ梁）１にて構成される。また、下階側の上端（図中の３階）や上階側（図中の４階以上）において、建物外周方向（図中の奥行方向）に沿わせてＳＲＣ柱１０やＰＣａ柱２０に接合される梁が、プレキャストコンクリート製の鉄筋コンクリート造のＰＣａ梁２（図３参照）にて構成される。なお、下階側の上端以外（図中の１階と２階）において、建物外周方向に沿わせてＳＲＣ柱１０に接合される梁は、梁鉄骨（図示省略）にて構成される。
【００１９】
そして、このように構成される建物を建築するにあたり、本建築方法では、工期の短縮を効果的に実現するべく、下階側のＳＲＣ柱１０と上階側のＰＣａ柱２０とが切り替わる仕口部分３０が、プレキャストコンクリート製のＰＣａ仕口部材３１にて構成される。以下、本建築方法の各工程について詳細に説明する。
【００２０】
まず、図４（ａ）に示すように、１階部分を構成する第１のＳＲＣ柱１０Ａの柱鉄骨１１の建方を行う。当該第１のＳＲＣ柱１０Ａの建方工程は、先に構築した鉄筋コンクリート造等の基礎３の上に、第１のＳＲＣ柱１０Ａの柱鉄骨１１の下端をボルト接合や溶接接合等の適宜の接合手段で接合して行われる。
そして、その第１のＳＲＣ柱１０Ａの柱鉄骨１１に対して建物内外方向に沿って建物内部側の梁鉄骨１を適宜の接合手段で接合するとともに、当該柱鉄骨１１の周囲に柱主筋やスターラップ筋等のＲＣ（鉄筋コンクリート）部分１２を構成するための鉄筋１２ａを配筋し、それらの周囲にコンクリートＣを打設するための型枠（図示省略）を設置する。
【００２１】
図４（ｂ）に示すように、２〜３階部分を構成する第２のＳＲＣ柱１０Ｂの柱鉄骨１１の建方を行う前に、地組等にて、第２のＳＲＣ柱１０Ｂの柱鉄骨１１の上端にＰＣａ仕口部材３１の下端の柱鉄骨継手部３３を適宜の接合手段にて接合し、第２のＳＲＣ柱１０Ｂの柱鉄骨１１の上端にＰＣａ仕口部材３１を取り付ける。なお、本実施形態では、第２のＳＲＣ柱１０Ｂが、２階層を構成する柱として構成されているが、１階層を構成する柱として構成されていてもよい。このＰＣａ仕口部材３１の取付工程は、１階部分を構成する第１のＳＲＣ柱１０Ａの柱鉄骨１１の建方や当該柱鉄骨１１に対する配筋や型枠設置に並行して行ったり、それらの工程の前などに行うことができる。
【００２２】
ここで、ＰＣａ仕口部材３１には、鉄骨鉄筋コンクリート造の仕口本体部３２と、第２のＳＲＣ柱１０Ｂの柱鉄骨１１の上端に接合される柱鉄骨継手部３３と、下階側の同一階の梁鉄骨１が接合される梁鉄骨継手部３４とが一体的に備えられる。
図２、図３に示すように、仕口本体部３２は、柱鉄骨３５や梁鉄骨３６や鉄筋３７をコンクリートＣに埋設して構成される。柱鉄骨継手部３３は、仕口本体部３２の下面から柱鉄骨３５の先端側部位３５ａを突出させて構成される。また、梁鉄骨継手部３４は、仕口本体部３２における建物中央側を向く中央側面から梁鉄骨３６の先端側部位３６ａを突出させて構成される。
【００２３】
なお、図２、図３、図４（ｂ）に示すように、仕口本体部３２の上面には、鉄筋３７の一部として上階側のＰＣａ柱２０と接合するための接合筋（柱主筋）３７ａが突出配置される。また、図示は省略するが、仕口本体部３２の建物外周方向を向く二つの側面には、鉄筋３７の一部として建物外周方向に沿って建物外周部のＰＣａ梁２を接合するための接合筋（梁主筋）３７ｃ（図３参照）が突出配置される。
【００２４】
更に、仕口本体部３２の下面には、鉄筋３７の一部として下階側の第２のＳＲＣ柱１０ＢのＲＣ部分１２の鉄筋１２ａと接合するための接合筋（柱主筋）３７ｂが突出配置される。この接合筋（柱主筋）３７ｂと、第２のＳＲＣ柱１０ＢのＲＣ部分１２の鉄筋１２ａとは、機械式継手３８（図２参照）にて機械的に接続される。機械式継手３８は、例えば、長手方向の両端の夫々に鉄筋３７ａ，１２ａの端部を挿入状態で取り付け可能な筒状部材等から構成することができる。
【００２５】
そして、図４（ｃ）に示すように、第１のＳＲＣ柱１０Ａの建方工程、及び、地組による第２のＳＲＣ柱１０Ｂに対するＰＣａ仕口部材３１の取付工程を完了すると、ＰＣａ仕口部材３１を上端に取り付けた第２のＳＲＣ柱１０Ｂの柱鉄骨１１の建方を行う。当該第２のＳＲＣ柱１０Ｂの建方工程は、第２のＳＲＣ柱１０Ｂの柱鉄骨１１の下端を第１のＳＲＣ柱１０Ａの柱鉄骨１１の上端に適宜の接合手段にて接合して行われる。また、この第２のＳＲＣ柱１０Ｂの建方工程に並行し、第１のＳＲＣ柱１０Ａの柱鉄骨１１の周囲の型枠内にコンクリートＣを打設する。
【００２６】
次に、図５（ａ）に示すように、２〜３階部分を構成する第２のＳＲＣ柱１０Ｂの柱鉄骨１１に対して建物内外方向に沿って２階及び３階の建物内部側の梁鉄骨１を適宜の接合手段にて接合する。このとき、３階の建物内部側の梁鉄骨１は、ＰＣａ仕口部材３１の梁鉄骨継手部３４に対して接合される。
また、図示は省略するが、第２のＳＲＣ柱１０Ｂの柱鉄骨１１の２階仕口部分に対して建物外周方向に沿わせて梁鉄骨（図示省略）を適宜の接合手段にて接合する。
更に、２〜３階部分を構成する第２のＳＲＣ柱１０Ｂにおける２階部分の柱鉄骨１１の周囲にＲＣ部分１２を構成するための鉄筋１２ａを配筋し、それらの周囲にコンクリートＣを打設するための型枠（図示省略）を設置する。
【００２７】
その後、図５（ｂ）に示すように、２〜３階部分を構成する第２のＳＲＣ柱１０Ｂの２階部分の柱鉄骨１１の周囲の型枠内にコンクリートＣを打設するとともに、これに並行して、上階側のＰＣａ柱２０の建方を行う。当該ＰＣａ柱２０の建方工程は、第２のＳＲＣ柱１０Ｂの柱鉄骨１１の上端に取り付けられたＰＣａ仕口部材３１の上面に対して、ＰＣａ柱２０の下端を、グラウト等を用いて接合（本接合）して行われる。ＰＣａ仕口部材３１とＰＣａ柱２０との接合は、製作精度の高いＰＣａ部材どうしによる高い精度にて行うことができ、それ以降の上階側の建方の作業性や建方の精度を高めることができる。
また、第２のＳＲＣ柱１０Ｂにおける３階部分の柱鉄骨１１の周囲にＲＣ部分１２を構成するための鉄筋１２ａを配筋し、それらの周囲にコンクリートＣを打設するための型枠（図示省略）を設置する。
【００２８】
なお、このタイミングで、下階側の上端（図中の３階）において、第２のＳＲＣ柱１０Ｂの柱鉄骨１１の上端に取り付けられたＰＣａ仕口部材３１の建物外周方向を向く二つの側面に対して、建物外周方向（図中の奥行方向）に沿わせてプレキャストコンクリート製の鉄筋コンクリート造のＰＣａ梁２（図３参照）を、グラウト等を用いて接合（本接合）してもよい。
【００２９】
そして、この上階側のＰＣａ柱２０の建方を行った後、上階側の梁や更に上のＰＣａ柱２０の建方を行うとともに、これに並行して、図５（ｃ）に示すように、下階側の３階の第２のＳＲＣ柱１０Ｂの３階部分の柱鉄骨１１の周囲の型枠内にコンクリートＣを打設し、第２のＳＲＣ柱１０Ｂの３階部分のＲＣ部分１２を構築する。
【００３０】
このように、本建築方法では、ＰＣａ柱２０にて構成される建物の上階側の建方を、建物の下階側の第２のＳＲＣ柱１０ＢのＲＣ部分１２の構築を待たずに簡単且つ精度良く行うことができる。更に、地組等により下階側の第２のＳＲＣ柱１０Ｂの柱鉄骨１１の建方を行う前に当該柱鉄骨１１の上端にＰＣａ仕口部材３１を取り付けておくことで、下階側第２のＳＲＣ柱１０Ｂの柱鉄骨１１の建方を行った後に迅速に上階側のＰＣａ柱２０の建方を行うことができる。よって、工期の短縮を効果的に実現することができる。
【００３１】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３２】
（１）上記実施形態では、上階側のＰＣａ柱２０の建方を、下階側のＳＲＣ柱１０のＲＣ部分１２の構築と並行して行う場合を例に示したが、例えば、下階側のＳＲＣ柱１０のＲＣ部分１２を構築する前に行うようにしてもよい。
【００３３】
（２）上記実施形態では、下階側の第２のＳＲＣ柱１０Ｂの柱鉄骨１１に対するＰＣａ仕口部材３１の取り付けを、第２のＳＲＣ柱１０Ｂの柱鉄骨１１の建方前に行う場合を例に示したが、場合によっては当該建方中又は建方後に行うようにしてもよい。
【符号の説明】
【００３４】
１          梁鉄骨
１０        ＳＲＣ柱
１１        柱鉄骨
１２        ＲＣ部分
２０        ＰＣａ柱
３０        仕口部分
３１        ＰＣａ仕口部材
３３        柱鉄骨継手部
３４        梁鉄骨継手部
３８        機械式継手
【図１】
2020186622.tif 000003
【図２】
2020186622.tif 000004
【図３】
2020186622.tif 000005
【図４】
2020186622.tif 000006
【図５】
2020186622.tif 000007